(57)【要約】【課題】ユーザーがベッド上で傾斜角度や高さまを調整できて、ベッド上から床面に滑り落ちても深刻なケガをしない健康ベッドを提供すること。【解決手段】第一台座と、第一中間フレームと、ベッドフレームと、２本の接続縄と、第一高さ調整機構を含み、第一中間フレームは案内部に沿って滑動すると共に２個の滑車を有し、ベッドフレームは第一中間案内部に沿って滑動し、滑車に巻き掛けた接続縄の一端がベッドフレームと接続し、接続縄の他端が第一台座と接続し、第一高さ調整機構を第一中間フレーム及び第一台座の間に設置してベッドフレームの高さを調整可能に構成する。【選択図】図１Ｂ
0003137423.tif 000002
【実用新案登録請求の範囲】
【請求項１】
案内部を含む第一台座と、
前記第一台座の案内部に設け前記案内部に沿って自由に滑り動き、さらに第一中間案内部を有する第一中間フレームと、
前記第一中間フレームの両側に設置した２個の滑車と、
前記第一中間フレームの第一中間案内部に沿って自由に滑動自在に設けたベッドフレームと、
前記２個の滑車にそれぞれ巻いた２本の接続縄であって、その一端は前記ベッドフレームと接続し他端は第一台座と接続する２本の接続縄と、
前記第一中間フレーム及び第一台座の間に設置した第一高さ調整機構を含むことを特徴とする、
高さが低い電動健康ベッド。
【請求項２】
前記第一高さの調整機構はさらに
前記第一台座に設置する歯車箱と、
一端が前記第一中間フレームに接続し、他端は歯車箱に接続するプッシュレバーと、
前記歯車箱と接続するモーターで前記モーターにより前記プッシュレバーを駆動するものを含むことを特徴とする、請求項１に記載する高さが低い電動健康ベッド。
【請求項３】
さらに前記ベッドフレームを支持するための補助支持構造を含み、前記補助支持構造はさらに
前記第一中間フレームの案内バーに固設し前記案内バーに沿って移動する第一スライドと、
前記案内バーに固設し前記案内バーに沿って移動する第二スライドと、
一端は前記第一スライドにピボットし、他端は前記ベッドフレームにピボットする第一連動バーと、
一端は前記第一スライドにピボットし、他端は前記第一台座にピボットする第二連動バーと、
一端は前記第二スライドにピボットし、他端は前記ベッドフレームにピボットする第三連動バーと、
一端は前記第二スライドにピボットし、他端は前記第一台座にピボットする第四連動バーを含むことを特徴とする、
請求項１に記載する高さが低い電動健康ベッド。
【請求項４】
前記ベッドフレームは
案内部と連動バーセットからなる少なくとも一つの調整可能なベッドプレートで、前記連動バーセットは前記ベッドフレームにピボットし前記調整可能なベッドプレートが前記連動バーセットに沿って回転するものと、
一端にローラーを有し他端に回転シャフト部を有する回転プッシュレバーで、前記回転シャフト部は前記ベッドフレームにピボットし回転プッシュレバーが前記回転シャフト部に沿って回転するものと、
プッシュレバーを有し前記プッシュレバーは前記回転プッシュレバーにピボットし前記回転プッシュレバーが前記回転シャフト部に沿って回転し、前記回転プッシュレバーに設置する前記ローラーにより前記調整可能なベッドプレートの前記案内部を押上げ前記調整可能なベッドプレートの勾配を調整するモーター歯車セットを含むことを特徴とする、
請求項１に記載する高さが低い電動健康ベッド。
【請求項５】
さらに電動健康ベッドを調整するための制御装置を具備することを特徴とする請求項１に記載する高さが低い電動健康ベッド。
【考案の詳細な説明】
【技術分野】
【０００１】
本考案は高さが低い電動健康ベッドに関するものであり、特に滑車構造によりベッドフレームの高さを調整可能な電動健康ベッドに関するものである。
【背景技術】
【０００２】
一般の健康ベッドは構造製造上、ユーザーが食事や読書をしやすいように、通常ベッドの頭部の傾斜角度が調整可能になっていて、例えば簡易なハンドルの利用によって傾斜角度を手動で調整できるようになっている。
これによりユーザーは快適な寝姿、或いは食事、読書に便利な姿勢をすることができる。
しかし前述した従来の健康ベッドの調整手段は、その角度調整を他人の協力により行うものであって、健康ベッド上で横になりながらユーザーが自分で調整することができずかなり不便である。
とりわけ身体の不自由なユーザーにとっては、ベッドから降りてその角度調整手段を手動で操作することは大変に不便である。
【０００３】
一般的な健康ベッドの高さは固定されている。
そのため、身体の不自由なユーザーは、ベッドから降りたりベッドに上る動作がかなり難しい。
特に、歩行が不自由なユーザーがベッドから車椅子に移動する場合、健康ベッドの不適切な高さはユーザーにとって非常に不便である。
【０００４】
このほかに、一般的な健康ベッドは、そのベッド縁にユーザーが睡眠中にベッドから床面に滑り落ちることを防止するための手すりが設置されているとは限らない。
そのため、一般的な健康ベッドの高さから床面に落下して怪我をする。特に高齢のユーザーの場合は、骨折、或いはさらに深刻なケガをしてしまうという問題があった。
【考案の開示】
【考案が解決しようとする課題】
【０００５】
本考案は上述した従来の健康ベッドの欠点に鑑みて成されたもので、本考案の目的はユーザーがベッド上で傾斜角度を調整でき、また極めて低い高さまで調整ができ、ベッドから床面に滑り落ちても深刻なケガにならない健康ベッドを提供することにある。
【課題を解決するための手段】
【０００６】
上述の目的に基づき、本考案は高さが低い電動健康ベッドを提出し、前記高さが低い電動健康ベッドには第一台座と、第一中間フレームとベッドフレーム、２本の接続縄、及び第一高度調整機構を含む。第一台座はベッドフレームの一端に設置し前記第一台座は案内部を有し、第一中間案内部は前記第一台座の案内部に固設すると共に第一中間フレームは前記案内部に沿って滑り動き、また、第一中間フレームは第一中間案内部を有すると共に第一中間フレームは２個の滑車を有し前記２個の滑車はそれぞれ前記第一中間フレームの両側に設置する。ベッドフレームは前記第一中間フレームの前記第一中間案内部に固設しベッドフレームが前記第一中間案内部に沿って自由に滑動し、接続縄は滑車を巻き前記接続縄の一端はベッドフレームと接続し他端は第一台座と接続し、第一高さ調整機構は前記第一中間フレーム及び第一台座の間に設置し前記ベッドフレームの高さを調整するものである。
【考案の効果】
【０００７】
本考案にあっては、ユーザーがベッド上で傾斜角度を調整できるとともに、極めて低い高さまで調整をすることができる。
さらに、ベッドフレームを床面に近い低い位置まで高さ調整が可能であるから、ユーザーがベッド上から床面に滑り落ちても深刻なケガをしないで済む。
本考案の実施例の場合は、ベッドフレームを最も低い位置まで調整した時におけるベッドフレームにベッドマットを加えたベッドマットの一番上から床面までの高さは約１５センチメートルである。
【考案を実施するための最良の形態】
【０００８】
以下に図面を参照しながら本考案に係る実施例について説明する。
［実施例］
図１Ａ及び図１Ｂはそれぞれ本考案の好ましい実施例の高さが低い電動健康ベッドの正面概略図及び側面外略図を示す。
本考案に係る高さが低い電動健康ベッドは、第一台座１１０、第一中間フレーム１２０、ベッドフレーム、四本の接続縄、及び前記第二台座２１０、第二中間フレーム２２０、第一高度調整機構及び第二高度調整機構を含む。
【０００９】
第一台座１１０はベッドフレーム１３０の一端に設置する。また前記第一台座１１０は案内部１１１を有する。
第一中間フレーム１２０は第一台座１１０の案内部１１１に固設する。
また第一中間フレーム１２０は前記案内部１１１に沿って滑り動く。
他の第一中間フレーム１２０は第一中間案内部１２１、第一フレーム１２２、第二フレーム１２３を有する。
本実施例中における第一フレーム１２２はコ字型を呈する。
第二フレーム１２３は中空框架、前記第二フレーム１２３は第一フレーム１２２中央に設置するが、設置形態はこれに限定されず第一中間フレーム１２０は他の構造でもよい。
また前記第一フレーム１２０は２個の滑車１８０を有する。
前記２個の滑車１８０はそれぞれ第一中間フレーム１２０の第一フレーム１２２の両側に設置するが、特にこれに限定されず、上述した２個の滑車１８０もそれぞれ第一中間案内部１２１に設置してもよい。
ベッドフレーム１３０は第一中間フレーム１２０の第一中間案内部１２１に設ける。
ベッドフレーム１３０は第一中間案内部１２１に沿って滑り動く。
接続縄１４０は滑車１２２を巻ていて、前記接続縄１４０の一端は前記ベッドフレーム１３０に接続し、他端は前記第一台座１１０に接続する。
【００１０】
第二台座２１０は前記第一台座１１０に対応する位置に設置する。
前記第二台座２１０は案内部２１１を有する。
第二中間フレーム２２０は前記前記第二台座２１０の案内部に設ける。
前記第二中間フレーム２２０は前記案内部２２１に沿って滑り動く。
前記第二中間フレーム２２０は第二中間案内部２２１を有する。
また第二中間フレーム２２０は２個の滑車１８０を有し、２個の滑車１８０はそれぞれ前記第二中間フレーム２２０の両側に設置する。
前記２本の接続縄１４０はそれぞれ前記２個の滑車２２２に巻かれ、前記接続縄１４０の一端は前記ベッドフレーム１３０に接続し、他端は前記第二台座２１０に接続している。
第二高さ調整機構は第二中間フレーム２２０と前記第二台座２１０の間に設置する。
【００１１】
本実施例中、ベッドフレーム１３０の両端は同様の構造を採用するが、特にこれに限定されずベッドフレーム１３０の両端も異なる構造を採用てきる。
この他、接続縄１４０は軟材料のプラスチクを被覆するしたワイヤーロープを使用するが、これに限定されず、他の適当なワイヤーロープを使用してもよい。
【００１２】
第一高さ調整機構１５０は第一中間フレーム１２０と前記第一台座１１０の間に設置する。
これによりベッドフレーム１３０の高さを調整する。
第二高さ調整機構２５０は第二中間フレーム２２０と前記前記第二台座２１０の間に設置する。
これによりベッドフレーム１３０の高さを調整する。
第一高さ調整機構１５０は歯車箱１５２、プッシュレバー１５１及びモーター１５３を含む。
歯車箱１５２は第一台座１１０に設置する。
前記プッシュレバー１５１の一端は前記第一中間フレーム１２０に接続し、他端は前記歯車箱１５２に接続する。
前記モーター１５３は前記歯車箱１５２に接続し、前記モーター１５３によって前記プッシュレバー１５１を駆動できる。
本実施例中、第二高さ調整機構２５０と第一高さ調整機構１５０は同様の構造を採用するが、特にこれに限定されず各高さ調整機構２５０と１５０は異なる構造を採用できる。
【００１３】
第一高さ調整機構１５０のプッシュレバー１５１を第一中間フレーム１２０のてっぺんまで押し上げた時、第一中間フレーム１２０は第一台座１１０の案内部１１１に沿って滑り動く。
中間フレーム１２０両側に設置した滑車１８０も同時に上に向かって移動し、接続縄を動かす。
接続縄１４０の一端は前記ベッドフレーム１３０に接続するため、他端は前記第一台座１１０に接続されているため、ベッドフレーム１３０が上に向かって移動する。
滑車１８０と接続縄１４０とによりベッドフレーム１３０の高さを調整することで、動作が滑らかで順調になるだけでなく、滑車１８０による省力作用のため、第一高さ調整機構１５０の負荷を軽減する。
またねじる力が比較的小さいモーター１５３を使用することができて、コストの節約効果を発揮する。
【００１４】
この他前述の高さが低い電動健康ベッド１００は、さらに補助支持構造１６０を含む。
補助支持構造１６０により前記ベッドフレーム１３０を支持し、例えば前述の接続縄１４０の弛み、或いは切れてベッドフレーム１３０を支持することができなくなった時に、補助支持構造１６０がベッドフレーム１３０を支持することができる。
前記補助支持構造１６０は、第一スライド１６１、第二スライド１６２、第一連動バー１６３、第二連動バー１６４、第三連動バー１６５及び第四連動バー１６６を含む。
第一スライド１６１は第一中間フレーム１２０の案内バー１２５に設ける。
前記第一スライド１６１は前記案内バー１２５に沿って移動する。
第二スライド１６２は前記案内バー１２５に設ける。
第一連動レバー１６３一端は前記第一スライド１６１にピボットし、他端は前記ベッドフレーム１３０にピボットする。
第二連動バー１６４一端は第一スライド１６１にピボットし、他端は前記第一台座１１０にピボットする。
第三連動バー１６５一端は第二スライド１６２にピボットし、他端は前記ベッドフレーム１３０にピボットする。
第四連動バー１６６一端は前記第二スライド１６２にピボットし、他端は前記第一台座１１０にピボットする。
【００１５】
この他に前述した高さが低い電動健康ベッド１００は長さ調整機構１７０を含むことができる。
これにより前記接続縄１４０の長さを調整し、接続縄１４０に適切な長さと張りを保持させ、ベッドフレーム１３０を傾斜させずまた接続縄１４０が滑車１８０から抜け落ちるのを防止で切る。
本実施例において、長さ調整機構１７０はボルトによる調整機構を採用して第一台座１１０に接続する場合を示すが、特にこれに限定されず長さ調整機構１７０は他の構造でもよい。
【００１６】
図２Ａ及び図２Ｂは、それぞれ図１Ａの高さが低い電動健康ベッド１００を低い高さに調整した正面外略図及び側面外略図を示す。
本実施例において、第一高さ調整機構１５０と第二高さ調整機構２５０を同時に下に向けて調整する。
ベッドフレーム１３０を最も低い位置に調整した時、ベッドフレーム１３０のベッドマットを加えた後の、ベッドマットの一番上から床面までの高さは、約１５センチメートルである。
【００１７】
図２Ｃは図１Ａは、高さが低い電動健康ベッド１００が異なるタイミングで高さを調整する正面概略図である。
本実施例中、第一高さ調整機構１５０と第二高さ調整機構２５０を異なるタイミングで高さを調整すると、ベッドフレーム１３０に傾斜の状況が表れる。
ユーザーがベッドフレーム１３０を傾斜して快適に使用したいと希望した時、異なるタイミングで高さの調整を行うことができる。
【００１８】
図３は調整可能なベッドプレートの概略図である。
ベッドフレーム１３０はさらに少なくとも調整可能なベッドプレート１３１、回転プッシュレバー１５１及びモーター歯車セット１３３を含む。
前記調整可能なベッドプレート１３１は少なくとも案内部１３１１及び連動バーセット１３１２を有する。
前記連動バーセット１３１２はベッドフレーム１３０にピボットし、前記調整可能なベッドプレート１３１を連動バーセット１３１２に巻いて回転させる。
前記回転プッシュレバー１５１の一端はローラー１３２１を有し、他端はシャフト部１３２２を有する。
前記シャフト部１３２２はベッドフレーム１３０にピボットし、回転プッシュレバー１５１をシャフト部１３２２に巻いて回転させる。
前記モーター歯車セット１３３はベッドフレーム１３０の窪んだ部分に設置し、ベッドフレーム１３０から突出せず、これにより空間を有効に利用でき、外観に悪影響を及ぼすことない。
【００１９】
前記モーター歯車セット１３３はプッシュレバー１５１を有する。前記プッシュレバー１５１は前記回転プッシュレバー１５１にピボットし、前記回転プッシュレバー１５１をシャフト部１３２２に巻いて回転させる。
前記回転プッシュレバー１３２に設置する前記ローラー１３２１は前記調整可能なベッドプレート１３１の前記案内部１３１１を頂部へ推すために、前記調整可能なベッドプレート１３１の傾斜角度を調整できる。
前記ローラー１３２１は第一連動バー１３１２１と第二連動バー１３１２２を含む。
前記第一連動バー１３１２１一端は調節可能なベッドフレーム１３０にピボットし、他端は前記ベッドフレーム１３０にピボットしている。
また前記第二連動バー１３１２２一端は前記調節可能なベッドプレート１３１にピボットし、他端は前記ベッドフレーム１３０にピボットする。
【００２０】
前述の高さが低い電動健康ベッド１００は、例えばベッドフレーム１３０の高さ調整、ベッドフレーム１３０の傾斜角の調整、或いはベッドプレート１３１の傾斜角度等の多様な調整機能を有する。
これらの調整機能は制御装置に整合させることで実現可能である。
前記制御装置は有線制御装置、或いは無線制御装置を含む。
無線制御装置は赤外線制御装置、或いは無線電制御装置を含む。
ユーザーは前記制御装置により、ベッド上で傾斜角度を調整でき、快適な寝姿或いは食事、読書に便利な姿勢をすることができる。またベッドフレームの高さを様々な高さに調整することができる。
【００２１】
本考案に係る高さが低い電動健康ベッド１００は、ユーザーが制御装置によってベッド上で傾斜角度を調整できるから、快適な寝姿、或いは食事、読書に便利な姿勢をすることができるだけでなく、ベッドフレーム１３０の高さを極めて低い高さまで調整することができる（本考案中この高さは１５センチメートル）ので、ユーザーがベッド上から床面滑り落ちても深刻なケガをすることはない。
【図面の簡単な説明】
【００２２】
【図１Ａ】本考案の好ましい実施例に係る高さが低い電動健康ベッドの正面概略図である。
【図１Ｂ】本考案の好ましい実施例に係る高さが低い電動健康ベッドの側面概略図である。
【図２Ａ】図１Ａの高さが低い電動健康ベッドを低い高さまで調整した正面概略図である。
【図２Ｂ】図１Ａの高さが低い電動健康ベッドを低い高さまで調整した側面概略図である。
【図２Ｃ】図１Ａの高さが低い電動健康ベッドを非同時に高さ調整をする際の正面概略図である。
【図３】調整可能なベッドプレートの概略図である。
【符号の説明】
【００２３】
１００          高さが低い電動健康ベッド
１１０          第一台座
１１１          案内部
１２０          第一中間フレーム
１２１          第一中間案内部
１２２          第一フレーム
１２３          第二フレーム
１２５          案内バー
１３０          ベッドフレーム
１３１          調整可能なベッドプレート
１３２          回転プッシュレバー
１３３          モーター歯車セット１３３
１４０          接続縄
１５０          第一高さ調整機構
１５１          プッシュレバー
１５２          歯車箱
１５３          モーター
１６０          補助支持構造
１６１          第一スライド
１６２          第二スライド
１６３          第一連動バー
１６４          第二連動バー
１６５          第三連動バー
１６６          第四連動バー
１７０          長さ調整機構
１８０          滑車
２１０          第二台座
２１１          案内部
２２０          第二中間フレーム
２２１          第二中間案内部
２５０          第一高さ調整機構
１３１１        連動バーセット
１３１２        連動バー
１３２１        ローラー
１３２２        シャフト部
１３３１        プッシュレバー
１３１２１      第一連動バー
１３１２２      第二連動バー
【図１Ａ】
0003137423.tif 000003
【図１Ｂ】
0003137423.tif 000004
【図２Ａ】
0003137423.tif 000005
【図２Ｂ】
0003137423.tif 000006
【図２Ｃ】
0003137423.tif 000007
【図３】
0003137423.tif 000008